(57)【特許請求の範囲】
【請求項１】
テーパ状肩部４を有するエアゾール缶１の上面の環状突部２に肩カバー５を嵌着し、該肩カバーの囲成内部にスパウト６を配して、該スパウトをそのエアゾール缶１の上面中央のステム３に嵌合させ、また、上記肩カバー５と上記スパウト６とを適所でヒンジ７を介して連繋させたエアゾール容器において、上記肩カバー５の嵌合周壁10の下端外周に下端面をテーパ状肩部４上面へ載置させて引き起こし可能なプルリング８を配し、該プルリングの基端部を上記ヒンジ７の近傍にて連結片９を介して上記肩カバー５に連繋させると共に上記ヒンジ７及び連結片９を上記肩カバー５の前部に配し、該肩カバーの嵌合周壁10の両側部を弾性変形可能な薄肉部11に形成するとともに、前部と後部にそれぞれ係合突条12，13を設けて上記環状突部２に係合させ、かつ、外周面の数箇所で破断小片14を介して上記プルリング８を連設し、該プルリング８前部の引上げで、テーパ状肩部４上面へ強く押しつけられたプルリングの基端部下面がてこの支点となって連結片９を介して肩カバー５の前部が押し上げられ、該前部の係合突条12がエアゾール缶１の環状突部２から離脱可能に形成した
ことを特徴とするエアゾール容器。
【発明の詳細な説明】
【０００１】
【発明の属する技術分野】
本発明は、エアゾール容器に関するものである。
【０００２】
【従来の技術】
金属製のエアゾール缶は、通常、上面中央に押し下げによって内容物を吐出する弁付きのステムを備え、該ステムの周りに製缶過程で生じる環状突部（巻締め接合部）を有しているが、このエアゾール缶において、そのステムに合成樹脂製のスパウトを、また、環状突部に合成樹脂製の肩カバーを嵌装したエアゾール容器がある。
【０００３】
【発明が解決しようとする課題】
近年、この種のエアゾール容器においても、廃棄時に分別回収できるようにすることが考えられているが、エアゾール缶とスパウト及び肩カバーとの間における嵌合は、不意に離脱しないよう配慮されていることもあって、容易には分離させることができない。
本発明は、かかる問題点を解決しようとするものである。
【０００４】
【課題を解決するための手段】
上記目的達成のため、請求項１の発明は、テーパ状肩部４を有するエアゾール缶１の上面の環状突部２に肩カバー５を嵌着し、該肩カバーの囲成内部にスパウト６を配して、該スパウトをそのエアゾール缶１の上面中央のステム３に嵌合させ、また、上記肩カバー５と上記スパウト６とを適所でヒンジ７を介して連繋させたエアゾール容器において、上記肩カバー５の嵌合周壁10の下端外周に下端面をテーパ状肩部４上面へ載置させて引き起こし可能なプルリング８を配し、該プルリングの基端部を上記ヒンジ７の近傍にて連結片９を介して上記肩カバー５に連繋させると共に上記ヒンジ７及び連結片９を上記肩カバー５の前部に配し、該肩カバーの嵌合周壁10の両側部を弾性変形可能な薄肉部11に形成するとともに、前部と後部にそれぞれ係合突条12，13を設けて上記環状突部２に係合させ、かつ、外周面の数箇所で破断小片14を介して上記プルリング８を連設し、該プルリング８前部の引上げで、テーパ状肩部４上面へ強く押しつけられたプルリングの基端部下面がてこの支点となって連結片９を介して肩カバー５の前部が押し上げられ、該前部の係合突条12がエアゾール缶１の環状突部２から離脱可能に形成した。
【０００６】
【発明の実施の形態】
図において、１は、金属製の既成のエアゾール缶、２は、該エアゾール缶の製缶過程で缶上面に生じた環状突部（巻締め接合部）、３は、該環状突部の囲成内部の上面中央に設けたステムであり、該ステムは、押し下げによって内容物を吐出する弁付きのものである。４は、上記環状突部２の外側にあるエアゾール缶１におけるテーパ状肩部である。
【０００７】
５は、エアゾール缶１の上記環状突部２に嵌着した肩カバー、６は、該肩カバーの囲成内部に配して上記ステム３に嵌合させたスパウト、７は、上記肩カバー５と上記スパウト６とを前部で連繋させたヒンジ、８は、上記肩カバー５の外周に引き起こし可能に配して基端部を連結片９を介して上記肩カバー５の前部に連繋させたプルリングであり、これらは合成樹脂により一体成形している。
【０００８】
肩カバー５は、嵌合周壁10の上端に内向きフランジ15を設けることで断面逆Ｌ字状に形成して上記環状突部２の上面乃至外周面に嵌合させるようにし、上記ヒンジ７及び連結片９を肩カバー５の前部に配してそのヒンジ７を内向きフランジ15に、また、その連結片９を嵌合周壁10に一体に連繋させ、更に、その嵌合周壁10の両側部を弾性変形可能な薄肉部11に形成するとともに、前部と後部にそれぞれ係合突条12，13を設けて上記環状突部２の下縁に係合させている。そして、プルリング８は、数箇所に配した破断小片14を介して肩カバー５の嵌合周壁10に一体に連繋させている。
スパウト６は、起立する注出筒16をクランク状に屈折させてステム３から噴出する内容物に発泡を生じさせるようにしており、下端をステム３へ嵌合させてある。また、その注出筒16の後面中途部に押釦17を一体に付設し、該押釦の押圧で注出筒16を介してステム３を押し下げることにより、該ステムからの内容物の噴出を得るようにしている。
なお、図１中、18は、肩カバー５に着脱自在に嵌合させるキャップを示している。
【０００９】
如上の構成であるから、エアゾール缶１に充填されている内容物を取り出すときは、図１の状態において、スパウト５の押釦17を押圧すればよく、これにより注出筒16を介してステム３が押し下げられて、該ステムから内容物が噴出し、これが注出筒16で泡となって該注出筒の先端から外部へと噴出する。
また、図１の通常の態勢では、プルリング８が肩カバー５の嵌合周壁10の外周にあって該嵌合周壁10を押えており、容易にはエアゾール缶１の環状突部２から離脱せず、不意に外れるようなことはない。
内容物を使い果して廃棄するときは、図２に示すように、破断小片14を破断させてプルリング８を引き上げる。これにより、該プルリングの基端部の下面がエアゾール缶１のテーパ状肩部４に強く押しつけられ、この基端部下面がてこの支点となって連結片９を介して肩カバー５の前部が押し上げられ、該肩カバー５における嵌合周壁10の両側部すなわち薄肉部11が弾性変形して前部の係合突条12がエアゾール缶１の環状突部２から離脱する。そこで、プルリング８を更に上方へ引けば肩カバー５がその環状突部２から簡単に外れる。また、この際には、スパウト６もヒンジ７を介して上方へと引かれることとなり、ともにステム３から外れる。したがって、エアゾール缶１と肩カバー５及びスパウト６とを分離させて分別回収に供することができる。
【００１０】
【発明の効果】
請求項１の発明によれば、エアゾール缶１の上面の環状突部２に肩カバー５を嵌着し、該肩カバーの囲成内部にスパウト６を配して、該スパウトをそのエアゾール缶１の上面中央のステム３に嵌合させ、その肩カバー５とスパウト６とを適所でヒンジ７を介して連繋させたエアゾール容器において、肩カバー５の外周に引き起こし可能なプルリング８を配し、該プルリングの基端部をそのヒンジ７の近傍で連結片９を介して上記肩カバー５に連繋させているので、普段は、プルリング８により肩カバー５の環状突部２への嵌合を確保できて、肩カバー５及びスパウト６の不意の外れを防止でき、また、廃棄の際には、プルリング８を引き起こして上方へ引くだけで、肩カバー５及びスパウト６を環状突部２及びステム３から簡単に分離させることができて、支障なく分別回収に供することができる。
【００１１】
更に、ヒンジ７及び連結片９を肩カバー５の前部に配し、該肩カバーの嵌合周壁10の両側部を弾性変形可能な薄肉部11に形成するとともに、前部と後部にそれぞれ係合突条12，13を設けて環状突部２に係合させているので、プルリング８を引き起こした際に薄肉部11を弾性変形させることで肩カバー５を環状突部２から極めて容易に離脱させることができ、また、プルリング８を数箇所の破断小片14を介して肩カバーの外周面に連設しているので、プルリング８を定位置に安定に保持させることができる。
【図面の簡単な説明】
【図１】請求項１の発明に係る実施の形態を示す截断側面図である。
【図２】同実施の形態における肩カバー等の取り外し操作を示す截断側面図である。
【図３】同実施の形態における分解斜視図である。
【図４】肩カバーに係る図１Ａ−Ａ線の断面図である。
【符号の説明】
１…エアゾール缶      ２…環状突部
３…ステム            ４…テーパ状肩部
５…肩カバー          ６…スパウト
７…ヒンジ            ８…プルリング
９…連結片            10…嵌合周壁
11…薄肉部            12…係合突条
13…係合突条          14…破断小片
15…内向きフランジ    16…注出筒
17…押釦              18…キャップ
【図１】
0003781895.tif 000002
【図２】
0003781895.tif 000003
【図３】
0003781895.tif 000004
【図４】
0003781895.tif 000005